(57)【特許請求の範囲】
【請求項１】
複数の直方体状建物ユニットの少なくとも１つを、その長辺を他の建物ユニットの長辺と直交させて建てられるユニット式建物において、前記少なくとも１つの建物ユニットと前記他の建物ユニットとはその平面縦横寸法が互いに等しく、かつ前記少なくとも１つの建物ユニットの短辺の延長線上に前記他の建物ユニットの長辺が略位置するようにして前記少なくとも１つの建物ユニットの一部を前記他の建物ユニットの外壁よりも外側に突出させるとともに、この突出した部分を非居室部とし、
前記非居室部は、玄関ポーチまたはサンルームまたは脚付きバルコニにおけるバルコニを支持するバルコニ支持部のいずれかとされたことを特徴とするユニット式建物。
【請求項２】
請求項１に記載のユニット式建物において、前記各建物ユニットは、四隅に立設される４本の柱とこれらの柱の上端間同士および下端間同士を結合する各４本の上梁、下梁を有する骨組みを備え、前記少なくとも１つの建物ユニットの突出した部分と前記他の建物ユニットとの接合部には中間柱が設けられ、かつ、前記１つの建物ユニットの上梁間または下梁間のいずれかにブレースが架けわたされていることを特徴とするユニット式建物。
【発明の詳細な説明】
【０００１】
【発明の属する技術分野】
本発明は、複数の建物ユニットを直交配置して建てられるユニット式建物に関する。
【０００２】
【背景技術】
ユニット式建物は、予め工場で生産された複数の建物ユニット等を現場で組み合わせることにより建てられている。
そして、図５に示すように、これらの建物ユニット１は、四隅に立設される４本の柱２と、これらの柱２の上端間同士および下端間同士を結合する各４本の上梁３、下梁４を有する骨組み５を備え、ほぼ箱型形状となっており、このような骨組み５に、天井面材や床面材、内壁や外壁等が取り付けられている。
【０００３】
このようなユニット式建物に居室以外の、つまり、非居室の例えば玄関ポーチは、建築現場で玄関土間に至る部分にコンクリートスラリを打設した後、その表面にタイルを貼り付ける等して仕上げている。
また、ユニット式建物に例えばサンルームを設ける場合は、サンルーム専用のユニットを形成するとともに、そのサンルームユニットを他の建物ユニットと組み合わせていた。
さらに、ユニット式建物に例えば脚（ポーチ柱）付きバルコニを設ける場合は、建築現場でポーチ柱用の基礎に脚を固定させ、この脚に支持させてバルコニを取り付けている。
【０００４】
【発明が解決しようとする課題】
しかし、従来のユニット式建物に非居室としての例えば玄関ポーチを設ける場合では、現場でコンクリートスラリを打設した後、タイル貼り等の仕上げ作業を行わなくてはならず、作業が面倒であり、かつ現場作業が増えるという問題がある。
また、サンルームを設ける場合では、サンルーム専用のユニットを揃えなければならないので、ユニットの種類が増え、その結果、現場での接合作業を増やすという問題がある。
さらに、脚（ポーチ柱）付きバルコニを設ける場合では、ポーチ柱をクレーンで支持しながらの作業となるので、面倒でかつ多くの時間がかかり、作業効率が悪いという問題がある。
【０００５】
本発明の目的は、玄関ポーチ等の非居室部を、現場作業が少なくてすむとともにユニットの種類を少なくして形成でき、かつ作業効率が向上するように設けることができるユニット式建物を提供することにある。
【０００６】
【課題を解決するための手段】
本発明の第１発明のユニット式建物１０は、図面を参照して説明すると、図１、２に示すように、複数の直方体状建物ユニット１１、１１Ａの少なくとも１つ１１Ａを、その長辺を他の建物ユニット１１の長辺と直交させて建てられるユニット式建物１０において、少なくとも１つの建物ユニット１１Ａと他の建物ユニット１１とはその平面縦横寸法が互いに等しく、かつ少なくとも１つの建物ユニット１１Ａの短辺の延長線上に他の建物ユニット１１の長辺が略位置するようにして１つの建物ユニット１１Ａの一部を他の建物ユニット１１の外壁よりも外側に突出させるとともに、この突出した部分Ａを非居室部とし、前記非居室部は、玄関ポーチまたはサンルームまたは脚付きバルコニにおけるバルコニを支持するバルコニ支持部のいずれかとされたことを特徴とするものである。
【０００７】
以上において、建物の居室部とは、「居住、執務、作業、集会、娯楽その他これらに類する目的のために継続的に使用する室」のことをいい、非居室部とはそれ以外の室内空間をいう。また、直方体状建物ユニットは、柱、梁を有する建物ユニットであることが好ましいが、いわゆるパネル工法による建物ユニットでもよい。そして、１つの建物ユニットの突出量は、非居室部として使用し得るに充分な寸法の所定寸法であればよく、例えば、建物ユニットの長辺の半分程度が突出することが好ましい。
【０００８】
このような本発明では、他の建物ユニットと直交させた少なくとも１つの建物ユニットの一部を他の建物ユニットの外壁よりも外側に突出させ、この突出部を非居室部としたので、現場で１つの建物ユニットを他の建物ユニットと組み合わせるだけで玄関ポーチ、サンルーム、脚付きバルコニにおけるバルコニを支持するバルコニ支持部を非居室部として形成でき、これにより、ユニット式建物の非居室部を現場作業が少なくてすむとともにユニットの種類を少なくして形成でき、かつ作業効率が向上する。
【０００９】
本発明の第２発明のユニット式建物は、図２、５に示すように、第１発明における各建物ユニット１１、１１Ａを、四隅に立設される４本の柱２とこれらの柱２の上端間同士および下端間同士を結合する各４本の上梁３、下梁４を有する骨組み５を備えるものとし、１つの建物ユニット１１Ａの突出した部分Ａと他の建物ユニット１１との接合部に中間柱１６を設け、かつ、１つの建物ユニット１１Ａの上梁３間または下梁４間のいずれかにブレース１７を架けわたしたことを特徴とするものである。
【００１０】
以上において、ブレースは中間柱と突出部の柱との間、および中間柱と他の建物ユニット側の柱との間の上梁間に、それぞれＸ状に交差させて架けわたすことが好ましい。
このような本発明では、１つの建物ユニットの突出した部分と他の建物ユニットとの接合部に中間柱が設けられ、さらに、上梁間または下梁間のいずれかにブレースが架けわたされているので強度が増し、突出した部分を含む１つの建物ユニットにかかる集中荷重に耐えることができる。
【００１４】
【発明の実施の形態】
以下に、本発明の実施形態を図面に基づいて説明する。
図１、２に示すように、第１実施形態のユニット式建物１０は、予め工場で生産された複数の１階建物ユニット１１、これらの１階建物ユニット１１の上に載せられる複数の２階建物ユニット１２、およびこれらの２階建物ユニット１２の上方に設けられる屋根１３を備えて構成されている。
なお、各建物ユニット１１、１２は、前記直方体状の建物ユニット１を用いたものである。
【００１５】
このユニット式建物１０において、２個の１階建物ユニット１１Ａ、１１Ｂおよび２階建物ユニット１２Ａ、１２Ｂは、他の１階建物ユニット１１および２階建物ユニット１２に対して直交配置され、かつ、１階建物ユニット１１Ａの一部が突出している。
すなわち、建物ユニット１１の長辺に対して長辺が直交する建物ユニット１１Ａの長辺のほぼ半分が、建物ユニット１１の外壁から外側に突出して配置されている。
【００１６】
１階建物ユニット１１Ａの突出部Ａの基端、つまり他の建物ユニット１１との接合部には、図２に示すように、建物ユニット１１Ａの上下梁間に互いに平行に立設されて２本の中間柱１６が設けられている。また、これらの中間柱１６の位置と突出側の２本の柱２との間、および中間柱１６の位置と他の建物ユニット１１側の２本の柱２との間には、それぞれの上梁３間にＸ状に架けわたされて２組のブレース１７が設けられている。
【００１７】
また、中間柱１６間には、玄関枠１８等に支持されて玄関ドア１９が設けられている。
すなわち、１階建物ユニット１１Ａは中間柱１６を結ぶ線（玄関ドア１９）で仕切られ、突出部Ａ側が非居室部である玄関ポーチ２１とされ、建物の内部側が玄関土間２２とされている。玄関ポーチ２１の上部には、建物ユニット１１Ａの骨組みの上梁３等に固定されて玄関庇２３が設けられており、この玄関庇２３は予め工場で取り付けられている。また、玄関ポーチ２１の床部２１Ａは、例えば下梁に支持されたポーチ床部材にタイル等を貼り付けて形成され、予め工場で製作されるようになっている。なお、ポーチ床部材は例えばプレキャストコンクリート製のものが使用されてもよい。また、玄関土間２２も同様の構造で予め工場で製作されるようになっている。
【００１８】
玄関ポーチ２１の２本の柱の周囲には、化粧材、外壁材等が巻き付けられ、これにより、玄関ポーチ柱２４が形成されていることになる。また、玄関ポーチの前方には階段状の踏み石２５が設けられている。
【００１９】
このような玄関ポーチ２１が形成された１階建物ユニット１１Ａの上部には、この１階建物ユニット１１Ａにおける突出部Ａのない形状の２階建物ユニット１２Ａが設けられている。この２階建物ユニット１２Ａの外壁は他の２階建物ユニット１２の長辺側外壁と連続している。つまり、この２階建物ユニットはほぼ正方体となっている。
【００２０】
次に、本実施形態の作用を説明する。
予め工場で生産された複数の１階建物ユニット１１、１１Ａ、１１Ｂおよび２階建物ユニット１２、１２Ａ、１２Ｂ等を現場に搬入し、手順に従ってそれらを組み合わせる。
この際、玄関ポーチ２１および玄関土間２２を形成するとともに玄関庇２３、玄関ドア１９等を取り付けた１つの１階建物ユニット１１Ａを、他の１階建物ユニット１１と直交させかつ玄関ポーチ２１を突出させて配置し、また、１階建物ユニット１１Ａの上には正方体の２階建物ユニット１２Ａを載せる。そして、玄関ポーチ２１の前方には、基礎に連続させて踏み石２５を設けておく。
【００２１】
このような本実施形態によれば、次のような効果がある。
▲１▼内部に玄関ポーチ２１等が形成された１つの建物ユニット１１Ａの一部を他の建物ユニットの外壁よりも外側に突出させ、この突出部Ａを玄関ポーチ２１としたので、現場でこの建物ユニット１１Ａを他の建物ユニット１１と組み合わせるだけで玄関ポーチ２１を形成できる。従って、玄関ポーチ２１を別個にかつ現場で製作しなくてすむので、玄関ポーチを現場作業が少なくてすむとともにユニットの種類を少なくして形成でき、かつ作業効率が向上する。
▲２▼玄関ポーチ２１だけが建物から突出した外観のユニット式建物１０となっているので、箱形の建物ユニットで構築されるユニット式建物の外観に変化をあたえることができる。
▲３▼玄関ポーチ２１の前方には踏み石２５が設けられているので、基礎を含めた玄関ポーチ２１の高さが高くても、容易に出入りできる。
【００２２】
次に本発明の第２の実施形態を図３に示す。
この実施形態では、前記第１実施形態の非居室部が玄関ポーチ２１であったものを、サンルーム３１としたものである。
本実施形態においては、前記第１実施形態と同一構造および同一部材に同一符号を付すとともに、その詳細な説明は省略または簡略化し、異なる部分のみを説明する。
【００２３】
この実施形態のユニット式建物３０において、他の１階建物ユニット１１と直交する１つの建物ユニット１１Ａ’の上部には、この建物ユニット１１Ａ’と同一構造の２階建物ユニット１２Ａ’が載せられている。それぞれの建物ユニット１１Ａ’、１２Ａ’の突出部Ａの周囲にはガラス３２等が貼り巡らされ、これにより、突出部Ａの内部が上下階につながるサンルーム３５となっている。
【００２４】
このような本実施形態においても前記第１実施形態と同様の作用、および▲１▼と同様の効果を得ることができる他、▲４▼２階建物ユニット１２Ａ’の突出部Ａにもガラス３２等が貼られサンルーム３１となっているので、上下階につながる高さの高いサンルーム３５を得ることができるという効果がある。
【００２５】
次に本発明の第３の実施形態を図４に示す。
この実施形態では、前記非居室部を脚付きバルコニにおけるバルコニを支持するバルコニ支持部４１としたものである。
本実施形態においては、前記第１、２実施形態と同一構造および同一部材に同一符号を付すとともに、その詳細な説明は省略または簡略化し、異なる部分のみを説明する。
【００２６】
この実施形態のユニット式建物４０において、他の１階建物ユニット１１と直交する１つの建物ユニット１１Ａの上部には、第１実施形態と同様の２階建物ユニット１２Ａが載せられている。そして、建物ユニット１１Ａの突出部Ａにおける骨組みの上面にはバルコニ４２が取り付けられている。このバルコニ４２は他の２階建物ユニット１２に取り付けられたバルコニ４３と連続しており、これにより、ユニット式建物４０の一端部から他端部にわたる広いバルコニ４５が形成されていることになる。
【００２７】
建物ユニット１１Ａの突出部Ａの下部には、前記第１実施形態の玄関ポーチ２１と同様に、予めコンクリート板等がとりつけられており、また、２本の柱にも前記第１実施形態の玄関ポーチ２１と同様に外壁材等が取り付けられて脚（ポーチ柱）４４となっている。
ここにおいて、２本の柱を含み突出部Ａにおける骨組み等により前記バルコニ支持部４１が構成されている。
【００２８】
このような本実施形態においても前記各実施形態と同様の作用、および▲１▼と同様の効果を得ることができる他、▲５▼１つの建物ユニット１１Ａ上に取り付けたバルコニ４２を、他の２階建物ユニット１２に取り付けられたバルコニ４３と連続させることで、ユニット式建物４０の一端部から他端部にわたる広いバルコニ４５を形成できるという効果がある。
【００２９】
なお、本発明は、前記各実施形態に限定されるものではなく、本発明の目的を達成できるものであれば、次に示すような変形形態でもよい。
例えば、前記第１実施形態では、３方から出入りできるような玄関ポーチ２１としたが、これに限らず、突出部Ａにおける左右に外壁を取り付け、前方からのみ出入りできるようにしてもよい。また、前記第１実施形態において、３方に踏み石を配置してもよい。
そして、このような本実施形態でも前記第１実施形態と同様の作用、および▲１▼〜▲３▼と同様の効果を得ることができる。
【００３０】
また、前記第１実施形態では、１つの建物ユニット１１Ａの上に正方体の２階建物ユニット１２Ａを載置したが、これに限らず、建物ユニット１２Ａの代わりに建物ユニット１１Ａと同様の直方体の２階建物ユニットを載置してもよい。
このようにすれば、２階建物ユニットの下面を玄関庇の代わりとできるので、玄関庇が不要となるとともに、正方体の２階建物ユニットが不要となってユニットの種類が少なくてすみ、かつ、玄関ポーチの上の部分を居室部とでき、これにより、居住部分が多くなるという効果がある。
【００３１】
さらに、前記第２実施形態では、１階建物ユニット１１Ａおよび２階建物ユニット１２Ａ’の周囲にガラス３２を張ったが、これに限らず、２階建物ユニット１２Ａ’の突出部Ａの上面もガラス張りとしてもよい。このようにすれば、上方からの採光も可能となり、一段と採光に優れたサンルームとなるという効果がある。なお、この場合、屋根１３の形状はサンルームの上面を逃がすようにすればよい。
【００３２】
【発明の効果】
以上に説明したように、本発明のユニット式建物によれば、他の建物ユニットと直交させた１つの建物ユニットの一部を他の建物ユニットの外壁よりも外側に突出させ、この突出部を非居室部としたので、現場で１つの建物ユニットを他の建物ユニットと組み合わせるだけで玄関ポーチ等の非居室部を形成でき、これにより、非居室部を現場作業が少なくてすむとともにユニットの種類を少なくして形成でき、かつ作業効率が向上する。
【図面の簡単な説明】
【図１】本発明の第１実施形態に係るユニット式建物を示す全体斜視図である。
【図２】第１実施形態のユニット式建物の１階部の構造を示す全体平面図である。
【図３】本発明の第２実施形態に係るユニット式建物を示す全体斜視図である。
【図４】本発明の第３実施形態に係るユニット式建物を示す全体斜視図である。
【図５】本発明のユニット式建物を構成する建物ユニットの骨組みを示す全体斜視図である。
【符号の説明】
１  建物ユニット
１０、３０、４０  ユニット式建物
１１  他の１階建物ユニット
１１Ａ  直交する１つの１階建物ユニット
１６  中間柱
１７  ブレース
２１  非居室部である玄関ポーチ
３１  非居室部であるサンルーム
４１  非居室部であるバルコニ支持部
４２  バルコニ
Ａ  突出部
【図１】
0003893186.tif 000002
【図２】
0003893186.tif 000003
【図３】
0003893186.tif 000004
【図４】
0003893186.tif 000005
【図５】
0003893186.tif 000006